(57)【特許請求の範囲】
【請求項１】
建物の外壁に、前面の機器取付面に機器が取り付けられる機器取付板が、間隔を空けて並設され、
隣接する前記機器取付板の互いに対向する側を覆うとともに、前記機器取付板間の空間を覆う、または前記空間を閉塞する、補助部材が、前記機器取付板または前記外壁に取り付けられ、かつ、
前記補助部材は、前記機器取付板の互いに対向する側を覆う取付板覆い部が、前記機器取付板の前面と側面とを覆うようにコ字状に屈曲している、機器取付板の設置構造。
【請求項２】
前記機器取付板は、縦長の長方形板状に形成され、縦に間隔を空けて並設されており、
前記補助部材は、縦に並ぶ前記機器取付板間の前記空間を覆う、または前記空間を閉塞する、請求項１に記載の機器取付板の設置構造。
【請求項３】
前記補助部材は、前記空間を覆い、その空間を覆う空間覆い部が、前記空間の前方と側方とを覆うようにコ字状に屈曲している、請求項１または２に記載の機器取付板の設置構造。
【請求項４】
前記機器に接続されて前記機器取付板の前面の前記機器取付面に形成された挿通孔を通って前記機器取付板内に導かれるケーブルが、前記空間を通って、前記機器取付板間に配され、そのケーブルが、前記機器取付板間において、前記補助部材内に収められている、請求項１ないし３のいずれか１項に記載の機器取付板の設置構造。
【請求項５】
一方の前記取付板覆い部は、その取付板覆い部が覆う一方の前記機器取付板に対し、少なくとも前記機器取付板の対向方向に位置決めされるように、一方の前記機器取付板の係合部に係合する被係合部を有する、請求項１ないし４のいずれか１項に記載の機器取付板の設置構造。
【請求項６】
他方の前記取付板覆い部は、その取付板覆い部が覆う他方の前記機器取付板に、前記対向方向に相対移動可能に嵌められる、請求項５に記載の機器取付板の設置構造。
【請求項７】
前記機器取付板は、その機器取付板を前記外壁に取り付けるための取付孔とその取付孔に通ずる座ぐり孔とを有し、
前記係合部は、前記座ぐり孔からなる、請求項５または６に記載の機器取付板の設置構造。
【請求項８】
前記補助部材は、その補助部材を、前記外壁に取り付けるための取付孔を有する、請求項１ないし７のいずれか１項に記載の機器取付板の設置構造。
【請求項９】
建物の外壁に間隔を空けて並設されて前面の機器取付面に機器が取り付けられる機器取付板に対し、それら隣接する機器取付板の互いに対向する側を覆うとともに、前記機器取付板間の空間を覆う、または前記空間を閉塞する、補助部材であって、
前記機器取付板の互いに対向する側を覆う取付板覆い部が、前記機器取付板の前面と側面とを覆うようにコ字状に屈曲している、機器取付板用の補助部材。
【請求項１０】
前記補助部材は、前記空間を覆い、その空間を覆う空間覆い部が、前記空間の前方と側方とを覆うようにコ字状に屈曲している、請求項９に記載の機器取付板用の補助部材。
【請求項１１】
一方の前記取付板覆い部は、その取付板覆い部が覆う一方の前記機器取付板に対し、少なくとも前記機器取付板の対向方向に位置決めされるように、一方の前記機器取付板の係合部に係合する被係合部を有し、
他方の前記取付板覆い部は、その取付板覆い部が覆う他方の前記機器取付板に対し、前記対向方向に位置決めされることなくその対向方向に相対移動可能となっている、請求項９または１０に記載の機器取付板用の補助部材。
【発明の詳細な説明】
【技術分野】
【０００１】
この発明は、電力量計その他の機器が取り付けられる機器取付板の設置構造、および機器取付板用の補助部材に関するものである。
【背景技術】
【０００２】
従来、機器取付板として、例えば電力量計が取り付けられる機器固定台があった（例えば、特許文献１参照）。この機器固定台は、長方形板状に形成されて、前面が、電力量計が取付固定される固定面となっていた。
【０００３】
ところで、近年、一般家庭への太陽光発電の普及に伴い、電力量計として、従来からの使用電力量を計測する買電メーターと、太陽光発電による電力量のうち電力会社に売られる余剰電力量を計測する売電メーターとを設置する必要が生じた。そこで、それぞれのメーターに対応するように、機器固定台が二つ並べて設置された。
【先行技術文献】
【特許文献】
【０００４】
【特許文献１】特開２００６−１３８７９４
【発明の概要】
【発明が解決しようとする課題】
【０００５】
前記機器取付板としての機器固定台の設置においては、電力量計の保守点検の際の作業スペースの確保等の理由により、二つの機器固定台を離して設置しなければならない場合が多かった。そして、このように、機器固定台が離されて設置されると、それら機器固定台に一体感がなく、見栄えが悪かった。
【０００６】
この発明は、上記した従来の欠点を解決するためになされたものであり、その目的とするところは、並設される機器取付板の見栄えを向上させることができる、機器取付板の設置構造、および機器取付板用の補助部材を提供することにある。
【課題を解決するための手段】
【０００７】
この発明に係る機器取付板の設置構造、および機器取付板用の補助部材は、前記目的を達成するために、次の構成からなる。すなわち、
請求項１に記載の発明に係る機器取付板の設置構造は、建物の外壁に、前面の機器取付面に機器が取り付けられる機器取付板が、間隔を空けて並設され、隣接する前記機器取付板の互いに対向する側を覆うとともに、前記機器取付板間の空間を覆う、または前記空間を閉塞する、補助部材が、前記機器取付板または前記外壁に取り付けられる。そして、前記補助部材は、前記機器取付板の互いに対向する側を覆う取付板覆い部が、前記機器取付板の前面と側面とを覆うようにコ字状に屈曲している。
【０００８】
この設置構造によると、間隔を空けて並設される機器取付板に対し、補助部材が、機器取付板間の空間を覆ったり、その空間を閉塞したりする。そして、補助部材が、取付板覆い部を備えることで、機器取付板と補助部材との間に、隙間が生ずるのを防ぐことができる。こうして、機器取付板が補助部材を介して連続し、それら機器取付板に一体感が生ずる。
【０００９】
また、請求項２に記載の発明に係る機器取付板の設置構造のように、請求項１に記載の設置構造において、前記機器取付板は、縦長の長方形板状に形成され、縦に間隔を空けて並設されており、前記補助部材は、縦に並ぶ前記機器取付板間の前記空間を覆う、または前記空間を閉塞するものであってもよい。
【００１０】
また、請求項３に記載の発明に係る機器取付板の設置構造のように、請求項１または２に記載の設置構造において、前記補助部材は、前記空間を覆い、その空間を覆う空間覆い部が、前記空間の前方と側方とを覆うようにコ字状に屈曲してもよい。
【００１１】
また、請求項４に記載の発明に係る機器取付板の設置構造のように、請求項１ないし３のいずれか１項に記載の設置構造において、前記機器に接続されて前記機器取付板の前面の前記機器取付面に形成された挿通孔を通って前記機器取付板内に導かれるケーブルが、前記空間を通って、前記機器取付板間に配され、そのケーブルが、前記機器取付板間において、前記補助部材内に収められてもよい。こうして、機器に接続されたケーブルを、機器取付板の前面の挿通孔から機器取付板内に導き、さらに、機器取付板間において補助部材内に収めることで、そのケーブルの全体を保護することが可能となる。
【００１２】
また、請求項５に記載の発明に係る機器取付板の設置構造のように、請求項１ないし４のいずれか１項に記載の設置構造において、一方の前記取付板覆い部は、その取付板覆い部が覆う一方の前記機器取付板に対し、少なくとも前記機器取付板の対向方向に位置決めされるように、一方の前記機器取付板の係合部に係合する被係合部を有してもよい。
【００１３】
また、請求項６に記載の発明に係る機器取付板の設置構造のように、請求項５に記載の設置構造において、他方の前記取付板覆い部は、その取付板覆い部が覆う他方の前記機器取付板に、前記対向方向に相対移動可能に嵌められてもよい。こうして、この補助部材は、一方の機器取付板に対して対向方向に位置決めされるにも拘わらず、他方の機器取付板に対して対向方向に相対移動可能に嵌められることで、機器取付板間の間隔が変化する場合にも対応することができる。
【００１４】
また、請求項７に記載の発明に係る機器取付板の設置構造のように、請求項５または６に記載の設置構造において、前記機器取付板は、その機器取付板を前記外壁に取り付けるための取付孔とその取付孔に通ずる座ぐり孔とを有し、前記係合部は、前記座ぐり孔からなってもよい。
【００１５】
また、請求項８に記載の発明に係る機器取付板の設置構造のように、請求項１ないし７のいずれか１項に記載の設置構造において、前記補助部材は、その補助部材を、前記外壁に取り付けるための取付孔を有してもよい。
【００１６】
また、請求項９に記載の発明に係る機器取付板用の補助部材は、建物の外壁に間隔を空けて並設されて前面の機器取付面に機器が取り付けられる機器取付板に対し、それら隣接する機器取付板の互いに対向する側を覆うとともに、前記機器取付板間の空間を覆う、または前記空間を閉塞するものである。そして、補助部材は、前記機器取付板の互いに対向する側を覆う取付板覆い部が、前記機器取付板の前面と側面とを覆うようにコ字状に屈曲している。
【００１７】
この補助部材によると、間隔を空けて並設される機器取付板に対し、補助部材は、機器取付板間の空間を覆ったり、その空間を閉塞したりする。そして、補助部材が、取付板覆い部を備えることで、機器取付板と補助部材との間に、隙間が生ずるのを防ぐことができる。こうして、機器取付板が補助部材を介して連続し、それら機器取付板に一体感が生ずる。また、前記空間を通って、機器取付板間に、電線等のケーブルが配される場合には、そのケーブルは、機器取付板間において、補助部材内に収められる。これによって、機器取付板間に配されるケーブルを、補助部材によって保護することができる。
【００１８】
また、請求項１０に記載の発明に係る機器取付板用の補助部材のように、請求項９に記載の補助部材において、前記補助部材は、前記空間を覆い、その空間を覆う空間覆い部が、前記空間の前方と側方とを覆うようにコ字状に屈曲してもよい。
【００１９】
また、請求項１１に記載の発明に係る機器取付板用の補助部材のように、請求項９または１０に記載の補助部材において、一方の前記取付板覆い部は、その取付板覆い部が覆う一方の前記機器取付板に対し、少なくとも前記機器取付板の対向方向に位置決めされるように、一方の前記機器取付板の係合部に係合する被係合部を有してもよい。ここで、他方の前記取付板覆い部は、その取付板覆い部が覆う他方の前記機器取付板に対し、前記対向方向に位置決めされることなくその対向方向に相対移動可能となっている。こうして、この補助部材は、一方の機器取付板に対して対向方向に位置決めされるにも拘わらず、他方の機器取付板に対して対向方向に相対移動可能であるため、機器取付板間の間隔が変化する場合にも対応することができる。
【発明の効果】
【００２０】
この発明に係る機器取付板の設置構造、および機器取付板用の補助部材によれば、並設される機器取付板が補助部材を介して連続し、それら機器取付板に一体感が生ずるため、それら並設される機器取付板の見栄えを向上させることができる。
【図面の簡単な説明】
【００２１】
【図１】この発明の一実施の形態の、設置構造の正面図である。
【図２】同じく、設置構造の側面図である。
【図３】同じく、図１におけるＡ−Ａ線による拡大断面図である。
【図４】同じく、機器取付板の正面図である。
【図５】同じく、機器取付板の側面図である。
【図６】同じく、図４におけるＢ−Ｂ線による断面図である。
【図７】同じく、補助部材の正面図である。
【図８】同じく、補助部材の平面図である。
【図９】同じく、補助部材の底面図である。
【図１０】同じく、補助部材の背面図である。
【図１１】同じく、補助部材の斜視図である。
【発明を実施するための形態】
【００２２】
以下、この発明に係る機器取付板の設置構造、および機器取付板用の補助部材を実施するための形態を図面に基づいて説明する。
【００２３】
図１〜図１１は、本発明の一実施の形態を示す。ここにおいて、図１〜図３は、設置構造、図４〜図６は、機器取付板、図７〜図１１は、補助部材を示す。図中符号１は、建物の外壁を示す。２は、機器を示す。３は、前面３ｂに前記機器２が取り付けられる機器取付板を示す。４は、前記機器取付板３の設置にあたって用いられる機器取付板用の補助部材を示す。５は、機器取付板３の設置構造を示す。
【００２４】
ここで、機器取付板３の設置構造５は、次の通りである。建物の外壁１に、機器取付板３が、間隔を空けて複数（図示実施の形態においては、二つ）並設され、隣接する機器取付板の互いに対向する側を覆うとともに、機器取付板３、３間の空間６を覆う、または前記空間６を閉塞する（図示実施の形態においては、空間６を覆う）、補助部材４が、機器取付板３または建物の外壁１（図示実施の形態においては、外壁１）に取り付けられる。
【００２５】
この補助部材４は、機器取付板３、３の互いに対向する側を覆う取付板覆い部４ｂ、４ｃが、機器取付板３、３の前面３ｂと側面３ｃとを覆うようにコ字状（略コ字状を含む）に屈曲している。すなわち、一方の取付板覆い部４ｂは、一方の機器取付板３０１（３）に嵌められるよう、一方の機器取付板３０１（３）の前面３ｂを覆う前面覆い部４ｅと、一方の機器取付板３０１（３）の側面３ｃを覆う側面覆い部４ｇとを有する。そして、一方の取付板覆い部４ｂは、その取付板覆い部４ｂが覆う一方の機器取付板３０１（３）に対し、少なくとも機器取付板３、３の対向方向Ｐ（つまり、機器取付板３、３の並設方向）に位置決めされるように（図示実施の形態においては、前記対向方向Ｐに加えて、対向方向Ｐに直交する横方向に位置決めされるように）、一方の機器取付板３０１の係合部３ａに係合する被係合部４ｄを有する。また、他方の取付板覆い部４ｃは、その取付板覆い部４ｃが覆う他方の機器取付板３０２（３）の前面３ｂを覆う前面覆い部４ｆと、他方の機器取付板３０２（３）の側面３ｃを覆う、側面覆い部４ｈとを有して、他方の機器取付板３０２（３）に、前記対向方向Ｐに相対移動可能に嵌められる。すなわち、他方の取付板覆い部４ｃは、他方の機器取付板３０２（３）に対し、前記対向方向Ｐに位置決めされることなくその対向方向Ｐに相対移動可能となっている。
【００２６】
具体的には、機器取付板３は、縦長の長方形板状に形成されている。図示実施の形態においては、機器取付板３は、長方形状の前壁３ｄと、その前壁３ｄから後方に若干延びる、左右の側壁３ｅ、３ｅ、上壁３ｆおよび下壁３ｇを有して、全体が長方形板状に形成される。そして、この機器取付板３の前面３ｂ（つまり、前壁３ｄの前面）に、機器２（図示実施の形態においては、電力量計）が取り付けられる。詳細には、機器取付板３は、前面３ｂに、その周縁から若干内側の位置に、ループ状に突条３ｈが形成されており、その内側が機器２が取り付けられる機器取付面３ｉとなっている。図示実施の形態においては、機器２は、機器収容ボックス７に収容されて取り付けられることで、前面３ｂの機器取付面３ｉに間接的に取り付けられる。この機器取付面３ｉ（つまり、機器取付板３の前面３ｂ）には、挿通孔３ｊがあけられており、機器２に接続された電線等のケーブルは、この挿通孔３ｊを通って、機器取付板３内に導かれる。
【００２７】
また、機器取付板３は、その機器取付板３を建物の外壁１に取り付けるための取付孔３ｋと、その取付孔３ｋに通ずる座ぐり孔３ｍとを有している。詳細には、機器取付板３の前面３ｂ四隅に座ぐり孔３ｍとしての第１の座ぐり孔３１ｍが設けられており、その第１の座ぐり孔３１ｍの奥に、取付孔３ｋとしての第１の取付孔３１ｋが設けられている。そして、機器取付板３は、前面３ｂの中央左右位置、および下部中央位置に、座ぐり孔３ｍとしての第２の座ぐり孔３２ｍが設けられ、その第２の座ぐり孔３２ｍの奥に、取付孔３ｋとしての第２の取付孔３２ｋが設けられている。詳細には、これら座ぐり孔３ｍ（第１の座ぐり孔３１ｍ、第２の座ぐり孔３２ｍ）および取付孔３ｋ（第１の取付孔３１ｋ、第２の取付孔３２ｋ）は、前壁３ｄから後方に突出するボス３ｎ（第１のボス３１ｎ、第２のボス３２ｎ）に形成されている。なお、第２の取付孔３２ｋは、除去可能なノックアウト３ｐで塞がれている。ここにおいて、機器取付板３は、複数（図示実施の形態においては、二つ）が、縦に間隔を空けて並設されている。そして、一方の機器取付板３０１（例えば、上側の機器取付板）には、機器２としての買電メーター（買電用の電力量計）が取り付けられ、他方の機器取付板３０２（例えば、下側の機器取付板）には、機器２として、太陽光発電システムにおける売電メーター（売電用の電力量計）が取り付けられる。
【００２８】
そこで、前記補助部材４は、縦に並ぶ機器取付板３、３間の前記空間６を覆う、または前記空間６を閉塞する（図示実施の形態においては、空間６を覆う）。そして、前記係合部３ａは、前記座ぐり孔３ｍからなる。詳細には、一方（詳しくは、上側）の機器取付板３０１（３）において、下部左右位置の第１の座ぐり孔３１ｍが、前記係合部３ａとしての第１の係合部３１ａとなり、下部中央の第２の座ぐり孔３２ｍが、前記係合部３ａとしての第２の係合部３２ａとなる。
【００２９】
また、図示実施の形態においては、補助部材４は、前記空間６を覆い、その空間６を覆う空間覆い部４ａが、前記空間６の前方と側方とを覆うようにコ字状（略コ字状を含む）に屈曲している。すなわち、空間覆い部４ａは、空間６の前方を覆う前方覆い部４ｉと、空間６の側方を覆う側方覆い部４ｊとを有する。
【００３０】
こうして、補助部材４は、その全体が断面コ字状（略コ字状を含む）に形成されて、その断面が連続する方向（つまり、前記対向方向Ｐ）において、中間部分が前記空間覆い部４ａとなり、両側が前記取付板覆い部４ｂ、４ｃとなっていて、一方の機器取付板３０１（３）と他方の機器取付板３０２（３）とに架け渡されるようにして、それら機器取付板３０１（３）、３０２（３）に嵌められる。そこで、空間覆い部４ａは、その断面コ字状（略コ字状を含む）の中央側が、前記空間６の前方を覆う前述した前方覆い部４ｉとなり、断面コ字状（略コ字状を含む）の各端側が、前記空間６の側方を覆う前述した側方覆い部４ｊとなる。
【００３１】
そして、一方の取付板覆い部４ｂは、その断面コ字状（略コ字状を含む）の中央側が、一方の機器取付板３０１（３）の前面３ｂを覆う前述した前面覆い部４ｅとなり、断面コ字状（略コ字状を含む）の各端側が、一方の機器取付板３０１（３）の側面３ｃを覆う前述した側面覆い部４ｇとなる。そして、この一方の取付板覆い部４ｂにおける前面覆い部４ｅの裏面に、前記被係合部４ｄとしての第１および第２の被係合部４１ｄ、４２ｄが突出して設けられる。すなわち、第１の被係合部４１ｄは、機器取付板３（詳しくは、一方の機器取付板３０１）における第１の係合部３１ａに係合するように（図示実施の形態においては、挿入されるように）設けられ、第２の被係合部４２ｄは、機器取付板３（詳しくは、一方の機器取付板３０１）における第２の係合部３２ａに係合するように（図示実施の形態においては、挿入されるように）設けられている。
【００３２】
また、他方の取付板覆い部４ｃは、その断面コ字状（略コ字状を含む）の中央側が、他方の機器取付板３０２（３）の前面３ｂを覆う前述した前面覆い部４ｆとなり、断面コ字状（略コ字状を含む）の各端側が、他方の機器取付板３０２（３）の側面３ｃを覆う前述した側面覆い部４ｈとなる。そして、この他方の取付板覆い部４ｃにおける前面覆い部４ｆには、機器取付板３（詳しくは、他方の機器取付板３０２）における突条３ｈに合わせるように、円弧状に切り欠かれた切欠き部４ｘが形成されている。
【００３３】
補助部材４は、空間覆い部４ａにおける前方覆い部４ｉの中央位置に、両方の側方覆い部４ｊ、４ｊに渡るように、補強リブ４ｋを有する。さらに、補助部材４は、空間覆い部４ａにおける一方の取付板覆い部４ｂ側の端に、リブ４ｍを有する。このリブ４ｍは、補助部材４が、一方の機器取付板３０１に対して位置決めされた際、その一方の機器取付板３０１の下壁３ｇに、当接あるいは近接するようになっている。
【００３４】
また、補助部材４は、その補助部材４を、外壁１に取り付けるための取付孔４ｎを有する。この取付孔４ｎは、空間覆い部４ａにおいて、左右二箇所に設けられている。詳細には、取付孔４ｎは、空間覆い部４ａの前面に設けられた座ぐり孔４ｐの奥に設けられている。図示実施の形態においては、これら座ぐり孔４ｐおよび取付孔４ｎは、空間覆い部４ａにおける前方覆い部４ｉの裏面から前記補強リブ４ｋを分断するように後方に突出するボス４ｑに形成されている。
【００３５】
ところで、この設置構造５において、機器２に接続されて機器取付板３の前面３ｂに形成された挿通孔３ｊを通って機器取付板３内に導かれるケーブル８が、前記空間６を通って、機器取付板３、３間に配され、そのケーブル８が、機器取付板３、３間において、補助部材４内に収められている。図示実施の形態においては、補助部材４は、前記空間覆い部４ａを備え、その空間覆い部４ａが、機器取付板３、３間のケーブル８を覆うこととなる。なお、このケーブル８に関しては、機器２に接続されたケーブルが、機器取付板３、３を経由するように配されるものでもよく、また、外壁１から引き出されたケーブルが、機器取付板３、３を経由するように配されるものでもよい。この際、一方の機器取付板３０１（３）の下壁３ｇおよび他方の機器取付板３０２（３）の上壁３ｆに設けられたノックアウト３ｑ（図６参照）を除去してケーブル８を通すことで、機器取付板３、３間にケーブル８が配される。
【００３６】
次に、以上の構成からなる機器取付板３の設置構造５、およびその設置構造５に用いられる補助部材４の作用効果について説明する。この設置構造５とか補助部材４によると、機器３の保守点検の際の作業スペースの確保その他の理由により、間隔を空けて並設される機器取付板３、３に対し、補助部材４が設けられる。この補助部材４は、機器取付板３、３間の空間６を覆ったり、その空間６を閉塞したりする（図示実施の形態においては、空間６を覆う）。そして、補助部材４が、取付板覆い部４ｂ、４ｃを備えることで、機器取付板３と補助部材４との間に、隙間が生ずるのを防ぐことができる。こうして、機器取付板３、３が補助部材４を介して連続し、それら機器取付板３、３に一体感が生じ、そのため、それら並設される機器取付板３、３の見栄えを向上させることができる。
【００３７】
また、すでに設置されている機器２と機器取付板３に対し、機器２を増設する場合には、その増設する機器２のための機器取付板３と補助部材４とを用意して取り付ければよく、すでに設置されている機器取付板３を、両機器２、２が取り付けられるようなより大きな機器取付板に取りかえる必要がない。
【００３８】
また、機器２に接続されたケーブル８を、機器取付板３の前面３ｂの挿通孔３ｊから機器取付板３内に導き、さらに、機器取付板３、３間において補助部材４内に収めることで、そのケーブル８の全体を保護することが可能となる。
【００３９】
また、補助部材４は、一方の機器取付板３０１（３）に対して対向方向Ｐに位置決めされるにも拘わらず、他方の機器取付板３０２（３）に対して対向方向Ｐに相対移動可能に嵌められることで（つまり、相対移動可能であるため）、機器取付板３０１、３０２間の間隔が変化する場合にも対応することができる。
【００４０】
なお、本発明は、上述した実施の形態に限定されるわけではなく、その他種々の変更が可能である。例えば、機器２は、電力量計等の計器類でなくとも、漏電遮断器、ブレーカ、スイッチその他の機器であってもよい。
【００４１】
また、機器２は、機器収容ボックス７に収容されて機器取付板３に取り付けられなくとも、機器収容ボックス７等の中間部材を介すことなく、直接機器取付板３に取り付けられてもよい。
【００４２】
また、機器取付板３は、特に外壁１における取付スペースの横幅が狭い場合に、縦に並べられるが、取付スペースの横幅に余裕があるのであれば、横に並べられてもよい。
【００４３】
また、機器取付板３は、取付孔３ｋに通ずる座ぐり孔３ｍを有し、その座ぐり孔３ｍが係合部３ａを兼ねているが、座ぐり孔３ｍとは別に専用の係合部を設けるようにしてもよい。
【００４４】
また、補助部材４において、一方の取付板覆い部４ｂは、一方の機器取付板３０１（３）に対して、対向方向Ｐに位置決めされなくとも、対向方向Ｐに相対移動可能となっていてもよい。
【００４５】
また、補助部材４は、外壁１に直接取り付けられなくとも、機器取付板３に取り付けられることで、間接的に外壁１に取り付けられてもよい。
【００４６】
また、補助部材４は、機器取付板３、３間の空間６を覆うものでなくとも、その空間６を閉塞する（埋める）ものであってもよい。
【符号の説明】
【００４７】
１  外壁
２  機器
３  機器取付板
３０１  一方の機器取付板
３０２  他方の機器取付板
３ａ  係合部
３ｂ  前面
３ｃ  側面
３ｋ  取付孔
３ｍ  座ぐり孔
４  補助部材
４ａ  空間覆い部
４ｂ、４ｃ  取付板覆い部
４ｄ  被係合部
４ｎ  取付孔
５  設置構造
６  空間
Ｐ  対向方向
【図１】
0006027737.tif 000002
【図２】
0006027737.tif 000003
【図３】
0006027737.tif 000004
【図４】
0006027737.tif 000005
【図５】
0006027737.tif 000006
【図６】
0006027737.tif 000007
【図７】
0006027737.tif 000008
【図８】
0006027737.tif 000009
【図９】
0006027737.tif 000010
【図１０】
0006027737.tif 000011
【図１１】
0006027737.tif 000012